(57)【要約】【課題】賞球装置や球経路の球詰り等の不具合発生時や、定期点検による掃除をする時や、遊技面の交換時等における操作箇所を減らして作業性を向上させると共に、遊技機の部品点数の削減や組付け作業性の向上を図る。【解決手段】球タンク４２から供給される球２を経路内に流通させる球経路５０と、該球経路から受け入れた球を遊技者に払い出す賞球装置６０を備えた遊技機３０において、前記球経路内の球の流通を阻止する阻止位置に係合する球止め部７２と、前記賞球装置のロック位置に係合して、前記賞球装置が前記球経路からの球を受け入れ可能に前記賞球装置を係止させる賞球装置ロック部７４とを有し、前記阻止位置と前記ロック位置との間を往復動する球止め・ロック部材７０を備える。【選択図】図６
2008055027.tif 000002
【特許請求の範囲】
【請求項１】
球タンクから供給される球を経路内に流通させる球経路と、該球経路から受け入れた球を遊技者に払い出す賞球装置を備えた遊技機において、
前記球経路内の球の流通を阻止する阻止位置に係合する球止め部と、前記賞球装置のロック位置に係合して、前記賞球装置が前記球経路からの球を受け入れ可能に前記賞球装置を係止させる賞球装置ロック部とを有し、前記阻止位置と前記ロック位置との間を往復動する球止め・ロック部材を備えたことを特徴とする遊技機。
【発明の詳細な説明】
【技術分野】
【０００１】
本発明は、遊技機に関し、特に、賞球装置や球経路の球詰り等の不具合発生時や、定期点検による掃除をする時や、遊技面の交換時等における操作箇所を減らして作業性を向上させると共に、遊技機の部品点数の削減や組付け作業性の向上を図ることができる遊技機に関する。
【背景技術】
【０００２】
パチンコ遊技機（以下、遊技機と称する）においては、遊技盤面上の遊技領域に打ち込まれた球（遊技球）が入賞口に入ると、賞球装置は、所定個数の球を払出すようになっている。図１に示される如く、この球は、遊技機１０の裏面上部に配置された球タンク１２に事前に貯留され、この球タンク１２から整列経路１４などの球経路１６を介して賞球装置１８に送り込まれている。
【０００３】
一般に、前記賞球装置１８に球を送り込む球経路１６には、例えば、特許文献１や特許文献２に開示されているように、賞球装置１８への球の送り込みを停止させる球止め機構が設けられている。この球止め機構は、球詰りなどの不具合発生時や定期点検による掃除をする時、又は、遊技盤２０の交換時に賞球装置１８を取り外すような時、球経路１６から賞球装置１８への球の送り込みを停止させることで、球が作業中こぼれないようにしている。
【０００４】
【特許文献１】特開平１０−３２８３７９号公報
【特許文献２】特開平１０−３１４４０２号公報
【発明の開示】
【発明が解決しようとする課題】
【０００５】
しかしながら、従来の機構では、球詰り等の不具合により賞球装置１８を取り外す場合には、まず球止め機構の操作により賞球装置１８への球の送り込みを停止させ、次に、賞球装置１８を固定するロックを解除する必要があり、球詰まり等のトラブル発生時、手早く対処することが難しかった。
【０００６】
又、取り外された賞球装置１８を足元に置いたりしたとき、これを蹴飛ばして故障や破損させたり、紛失したりする原因となっている。
【０００７】
又、従来の球止め機構では、賞球装置への球の送り込み状態と送り込み停止状態との切替えを複雑な構造によって行っていたため、部品点数が多く組付け作業も大変なものとなっていた。特に、特許文献２では、この切替えを、球経路１６と賞球装置１８の間に補助通路部を設け、賞球装置１８を遊技機１０から取外した際、賞球装置１８の取付部に設けられた球止弾板の弾性力によって補助通路部が球経路１６からずれる球止め機構により行っていたため、補助通路部や球止弾板といった部品の点数が多くなり、遊技機本体への組付け作業も大変なものとなっていた。
【０００８】
本発明は、前記従来の問題点を解消すべくなされたもので、賞球装置や球経路の球詰り等の不具合発生時や、定期点検による掃除をする時や、遊技面の交換時等における操作箇所を減らして作業性を向上させると共に、遊技機の部品点数の削減や組付け作業性の向上を図ることを課題とする。
【課題を解決するための手段】
【０００９】
本発明は、球タンクから供給される球を経路内に流通させる球経路と、該球経路から受け入れた球を遊技者に払い出す賞球装置を備えた遊技機において、前記球経路内の球の流通を阻止する阻止位置に係合する球止め部と、前記賞球装置のロック位置に係合して、前記賞球装置が前記球経路からの球を受け入れ可能に前記賞球装置を係止させる賞球装置ロック部とを有し、前記阻止位置と前記ロック位置との間を往復動する球止め・ロック部材を備えたことで、前記課題を解決したものである。
【発明の効果】
【００１０】
本発明によれば、球経路の球止め機構である球止め部と賞球装置のロック機構である賞球装置ロック部とを１つの球止め・ロック部材にして、この球止め・ロック部材を往復動させる一動作により球の流れを許容しつつ賞球装置をロックする状態、球の流れを阻止しつつ賞球装置のロックを解除する状態と、を切替えることができ、球詰りなどの不具合で賞球装置を取り外す際の作業性を向上させることができる。
【００１１】
又、球経路の球止め機構と賞球装置のロック機構とが１つの部材により実現されているため、部品点数が削減され、コスト低減と組付け性を向上させることができる。
【発明を実施するための最良の形態】
【００１２】
以下、図面を参照して、本発明の実施の形態について詳細に説明する。
【００１３】
図２は、本発明に係る一実施形態の遊技機の正面図、図３はその背面図である。
【００１４】
図２に示される如く、遊技機３０の正面には、遊技盤３２と、払い出された賞球を貯留する上皿３４と、該上皿３４満杯時に賞球を払い受け、ファール球を戻し受ける下皿３６と、遊技盤３２の周囲を飾る電飾レンズ３８と、球の勢いを調整する発射ハンドル４０等が備えられている。
【００１５】
図３に示される如く、遊技機３０の裏面には、各遊技機に分配された球を貯える球タンク４２と、該球タンク４２から供給された球を中継する球経路５０と、該球経路５０からの球を受け、上皿３４に賞球を払い出す賞球装置６０と、本発明に係る実施形態の球止め・ロック部材７０とが備えられ、球経路５０や賞球装置６０等を動かすことにより、裏面から遊技盤３２が取りはずせるようになっている。
【００１６】
前記球経路５０は、図４に示される如く、球止め・ロック部材７０を軸支する球止め・ロック部材固定軸部５２と、球止め・ロック部材７０が挿入される球止め部挿入口５４（後述）とを有し、賞球装置６０の上部に設置されている。
【００１７】
前記賞球装置６０は、図４及び図５に示される如く、遊技機３０に対して開閉自在になるように取付けるためのヒンジ６２と、球止め・ロック部材７０と係合する賞球装置ロック係合部６４と、賞球装置６０の開閉が確実にロックされるための賞球装置補助固定部６６とを有する。
【００１８】
前記球止め・ロック部材７０は、図４に示される如く、前記球止め部挿入口５４に挿入されて係合して球経路５０の球の流通を阻止させる球止め部７２と、前記賞球装置ロック係合部６４に係合して賞球装置６０の動きを係止する賞球装置ロック部７４と、球止め・ロック部材７０を指で回動させるための取っ手部７６とを備え、球経路５０に固定された球止め・ロック部材固定軸部５２で回動自在に支持され、球止め部挿入口５４の位置（阻止位置）と賞球装置ロック係合６４の位置（ロック位置）との間を回動により往復動するようになっている。図４に示されるように側面から見ると、球止め部７２と賞球装置ロック部７４とが球止め・ロック部材固定軸部５２の軸を中心にほぼ円周上にあるように形成されている。
【００１９】
又、図４に示される如く、球止め・ロック部材固定軸部５２は、球経路５０と賞球装置６０との連結付近の球経路５０に取付けられ、球止め・ロック部材固定軸部５２の回動軸が球経路５０の側面と賞球装置６０の上面とからほぼ等距離になるように、球経路５０の側面から少し突き出た形になっている。
【００２０】
この球止め・ロック部材固定軸部５２の回動軸の周りを回動する球止め部７２及び賞球装置ロック部７４の回動先に、それぞれ球止め部挿入口５４及び賞球装置ロック係合部６４が設けられている。
【００２１】
前記ヒンジ６２は、図５に示される如く、賞球装置６０が開閉できるように、遊技機３０本体のヒンジ固定部４４に、回動自在に支持されている。
【００２２】
次に、図６に基づき、球止め・ロック部材７０の球止め部７２、賞球装置ロック部７４、及び、取っ手部７６について説明する。
【００２３】
図６（Ａ）は、賞球装置６０が開閉できない状態にロックされている状態を示す斜視図で、図６（Ｂ）は、賞球装置６０のロックが解除され、球経路５０の球の流通が阻止されている状態（賞球装置６０への球の送り込み停止状態）を示す斜視図である。
【００２４】
球止め部７２は、図６（Ａ）に示される如く、球経路５０に設けられた球止め部挿入口５４に挿入できるようになっていて、球止め・ロック部材固定軸部５２を中心に回動して、図６（Ｂ）に示される如く、球止め部挿入口５４に挿入され、側面から見ると図７に示されるようになっている。
【００２５】
賞球装置ロック部７４は、図６（Ｂ）に示される如く、賞球装置６０に設けられた賞球装置ロック係合部６４に係合するようになっていて、図６（Ａ）に示される如く、球止め・ロック部材固定軸部５２を中心に回動して賞球装置ロック係合部６４に係合し、側面から見ると前述の図４に示されるようになっている。又、賞球装置ロック係合部６４の穴の形状は賞球装置ロック部７４と嵌合できる形状のため、賞球装置ロック部７４が賞球装置ロック係合部６４に入り込むと賞球装置６０は係止され、がたつかなくなるようになり、球経路５０からの球を受け入れ可能な状態になっている。
【００２６】
取っ手部７６は、球止め・ロック部材固定軸部５２の軸方向、遊技機３０の背面方向に突設され、指で球止め・ロック部材７０を回動できるようになっている。
【００２７】
図６に示される如く、球止め部挿入口５４と賞球装置ロック係合部６４とは、球止め・ロック部材固定軸部５２の軸方向にずれているため、これに合せて球止め部７２及び賞球装置ロック部７４も、球止め・ロック部材固定軸部５２の軸方向にずれた形となっている。
【００２８】
球止め部７２が球経路５０に挿入された様子は、図８（Ｂ）の断面図に示される如く、球止め部７２の先端が球経路５０の経路内に突出し、球２の流れをせき止めて流通が阻止できるようになっている。
【００２９】
球経路５０の内部は、図８（Ｃ）の断面図に示されるように第１球経路５０Ａ及び第２球経路５０Ｂの２つのレーンにより構成され、球止め部挿入口５４は、その第１球経路５０Ａ及び第２球経路５０Ｂの中間の部分に設けられており、球止め部７２が挿入されることで、２つの球経路の球２の流通を一度に阻止できるようになっている。
【００３０】
なお、図８（Ｃ）に示される如く、賞球装置６０の球受け入れ口６０Ａ及び６０Ｂと第１球経路５０Ａ及び第２球経路５０Ｂとが、それぞれ連結し、賞球装置６０は、球経路５０からの球２を受け入れ可能な状態になっている。
【００３１】
図９に示される如く、賞球装置ロック部７４は、賞球装置６０の内部では、賞球装置ロック部７４の先端が、賞球装置ロック係合部６４の片面と当接し、球止め・ロック部材７０の回動が止まるようになっている。このため、取っ手部７６が賞球装置６０の上面より浮いている状態となり手でつまみやすくなっている。
【００３２】
次に、球止め・ロック部材７０の回動動作について図６等に基づいて説明する。
【００３３】
まず、賞球装置６０のロック状態（図６（Ａ））を解除して賞球装置６０を開閉可能な状態（図６（Ｂ））にするときは、取っ手部７６に指をかけて、図４中、時計回りに球止め・ロック部材７０を回動させる。
【００３４】
図６（Ｂ）に示される如く、球止め・ロック部材７０が回動すると、賞球装置ロック部７４が、賞球装置ロック係合部６４から抜けて賞球装置６０から離れ、賞球装置６０と球経路５０との固定を解除し、賞球装置ロック部７４が、球止め部挿入口５４に挿入される。
【００３５】
図７は、この状態における球止め・ロック部材７０を側面から見た図であり、図１０は、斜視図である。
【００３６】
図８（Ｂ）に示される如く、球止め部７２は、球経路５０の経路中に突き出た状態になり、球２の流れをせき止め第１球経路５０Ａから球受け入れ口６０Ａへの球の流れを阻止する。
【００３７】
又、図８（Ｃ）に示される如く、球止め部７２は、第１球経路５０Ａと第２球経路５０Ｂの間に挿入されるため、２つのレーンから球受け入れ口６０Ａ、６０Ｂへの球の流通を一度に阻止している。
【００３８】
逆に、球止め・ロック部材７０を再び賞球装置６０のロック状態に戻すときは、賞球装置６０が遊技機３０に対して閉の状態で、取っ手部７６に指をかけて、球止め・ロック部材７０を図７中反時計回りに回動させ、賞球装置ロック部７４が、賞球装置６０の方に回動して賞球装置ロック係合部６４に入り込み、賞球装置６０と球経路５０とを固定し、賞球装置６０が球経路５０からの球を受け入れ可能になる。
【００３９】
次に、賞球装置６０のロックを解除して賞球装置６０を開閉させる動作について説明する。
【００４０】
図１１は、賞球装置６０が球止め・ロック部材７０及び賞球装置固定補助部材４６により確実に固定されている状態を示す図である。
【００４１】
この状態から、図１２に示される如く、前述のように球止め・ロック部材７０を回動させ賞球装置ロック部７４によるロック状態を解除し、球止め部７２により球経路５０の球の流通が阻止された後、賞球装置固定補助部材４６を反時計回りに回動させ、第２賞球装置補助固定部６６のロックも解除される。
【００４２】
このように賞球装置６０の２つのロック機構が解除されると、図１３に示される如く、ヒンジ固定部４４の軸を中心にヒンジ６２を介して賞球装置６０がほぼ９０度回動し、賞球払い出し口６８も上皿口４８からはずれ、賞球装置６０の球詰りの解消や、賞球装置６０の掃除ができるようになる。
【００４３】
遊技盤３２を取り外す場合、球経路５０のロック部（図示せず）を解除、球経路５０も回動させ、遊技盤３２を取り外す。
【００４４】
以上のように、賞球装置６０は、回動するのみで、遊技機３０から完全に取り外されないので、取り外された賞球装置のように、足元に置いたりして、これを蹴飛ばして故障や破損させたり、紛失したりすることがない。
【００４５】
又、本実施形態の球止め・ロック部材７０は、予め球経路５０に取付けられた形で、球経路と一体的に部品供給できるので、遊技機３０への組み付け作業の向上を図ることができる。
【００４６】
なお、遊技機に対する賞球装置の開閉機構は、本実施形態のように回動軸中心に回動する開閉式でなく、遊技機に設けられたレールに沿って遊技機の水平方向や鉛直方向へのスライドにより開閉する開閉機構や、リンク機構等により遊技機の所定の位置から着脱できる。
【００４７】
又、球止め・ロック部材７０の往復動は、本実施形態のように球止め・ロック部材７０を回動させる方法以外に、スライドさせる方法でもよい。
【図面の簡単な説明】
【００４８】
【図１】従来の遊技機の裏側を示す背面図
【図２】本発明に係る実施形態の遊技機の表面を示す正面図
【図３】前記遊技機の裏面を示す背面図
【図４】実施形態の球止め・ロック部材と球経路及び賞球装置との位置関係を示す側面図
【図５】前記賞球装置のヒンジ部を示す斜視図
【図６】前記球止め・ロック部材が、（Ａ）賞球装置をロックした状態を示す斜視図及び（Ｂ）球経路に挿入された状態を示す斜視図
【図７】前記球経路に挿入された状態における前記球止め・ロック部材を示す側面図
【図８】前記球経路に挿入された状態における（Ａ）球止め・ロック部材を示す側面図、（Ｂ）Ａ部における断面、及び、（Ｃ）Ｚ−Ｚにおける断面を示す断面図
【図９】前記球止め・ロック部材が賞球装置をロックする状態を示す側面図
【図１０】前記球経路に挿入された状態における前記球止め・ロック部材を示す斜視図
【図１１】賞球装置の開放状態を示す斜視図
【図１２】賞球装置がセットされ、未ロック状態を示す斜視図
【図１３】前記球止め・ロック部材により、賞球装置がロックされた状態を示す斜視図
【符号の説明】
【００４９】
２…球
３０…遊技機
４２…球タンク
５０…球経路
６０…賞球装置
７０…球止め・ロック部材
７２…球止め部
７４…賞球装置ロック部
【図１】
2008055027.tif 000003
【図２】
2008055027.tif 000004
【図３】
2008055027.tif 000005
【図４】
2008055027.tif 000006
【図５】
2008055027.tif 000007
【図６】
2008055027.tif 000008
【図７】
2008055027.tif 000009
【図８】
2008055027.tif 000010
【図９】
2008055027.tif 000011
【図１０】
2008055027.tif 000012
【図１１】
2008055027.tif 000013
【図１２】
2008055027.tif 000014
【図１３】
2008055027.tif 000015